(57)【特許請求の範囲】
【請求項１】
コンピュータに、
患者の断面画像群に含まれる断面画像を指定するための画像指定インタフェース上の位置の指定に応じて、前記位置に対応づけられた前記断面画像群に含まれる断面画像を表示する前記画像指定インタフェースの表示において、
前記画像指定インタフェースは、患者の第１の断面画像群に含まれる断面画像を指定するための第１の画像指定インタフェース、及び前記第１の断面画像群の比較対象として指定された前記患者の第２の断面画像群に含まれる断面画像を指定するための第２の画像指定インタフェースを含み、
前記第２の画像指定インタフェース上の位置であって、かつ、前記第２の断面画像群に含まれる、付加情報が登録された断面画像と対応付けられている位置にマークを表示すると共に、
前記第１の画像指定インタフェース上の位置であって、かつ、前記第１の断面画像群と前記第２の断面画像群とで同期する断面画像の位置、及び前記第２の断面画像群において前記付加情報が登録された断面画像の位置に基づいて定まる、前記第１の断面画像群に含まれる、前記第２の断面画像群において前記付加情報が登録された断面画像と対応する断面画像の位置にマークを表示する
処理を実行させるための読影支援プログラム。
【請求項２】
前記第１の断面画像群に含まれる断面画像の位置と前記第２の断面画像群に含まれる断面画像の位置とを対応づけることにより、前記第１の断面画像群と前記第２の断面画像群とを同期させることを更に含み、
前記マークを表示することでは、前記第１の断面画像群と同期している前記第２の断面画像群に含まれる断面画像を指定するための前記第２の画像指定インタフェースの表示において、
前記第２の画像指定インタフェース上の位置であって、かつ、前記第２の断面画像群に含まれる、前記患者の前記第２の断面画像群に対応する検査に関するレポート情報において参照されている断面画像と対応付けられている位置にマークを表示する請求項１記載の読影支援プログラム。
【請求項３】
更に、前記第１の断面画像群と前記第２の断面画像群とを同期させた場合に、前記患者の前記第１の断面画像群に対応する検査に関するレポート情報に、前記第２の断面画像群に対応する検査の情報を加える請求項１又は２記載の読影支援プログラム。
【請求項４】
更に、前記第１の断面画像群と前記第２の断面画像群とを同期させた場合に、前記患者の前記第２の断面画像群に対応する検査に関するレポート情報を表示する請求項１〜３の何れか１項記載の読影支援プログラム。
【請求項５】
前記第１の断面画像群及び前記第２の断面画像群の各々について、前記第１の断面画像群と前記第２の断面画像群との各々について、それぞれ同期する断面画像から、当該断面画像の座標値を同期基準位置として定め、
前記第１の画像指定インタフェース上の位置であって、かつ、前記第２の断面画像群についての前記同期基準位置からの、前記第２の断面画像群において前記付加情報が登録された断面画像の位置の距離に基づく、前記対応する断面画像の位置にマークを表示する請求項１〜４の何れか１項記載の読影支援プログラム。
【請求項６】
コンピュータに、
患者の断面画像群に含まれる断面画像を指定するための画像指定インタフェース上の位置の指定に応じて、前記位置に対応づけられた前記断面画像群に含まれる断面画像を表示する前記画像指定インタフェースの表示において、
前記画像指定インタフェースは、患者の第１の断面画像群に含まれる断面画像を指定するための第１の画像指定インタフェース、及び前記第１の断面画像群の比較対象として指定された前記患者の第２の断面画像群に含まれる断面画像を指定するための第２の画像指定インタフェースを含み、
前記第２の画像指定インタフェース上の位置であって、かつ、前記第２の断面画像群に含まれる、付加情報が登録された断面画像と対応付けられている位置にマークを表示すると共に、
前記第１の画像指定インタフェース上の位置であって、かつ、前記第１の断面画像群と前記第２の断面画像群とで同期する断面画像の位置、及び前記第２の断面画像群において前記付加情報が登録された断面画像の位置に基づいて定まる、前記第１の断面画像群に含まれる、前記第２の断面画像群において前記付加情報が登録された断面画像と対応する断面画像の位置にマークを表示する
処理を実行させるための読影支援方法。
【請求項７】
患者の断面画像群に含まれる断面画像を指定するための画像指定インタフェース上の位置の指定に応じて、前記位置に対応づけられた前記断面画像群に含まれる断面画像を表示する前記画像指定インタフェースの表示において、
前記画像指定インタフェースは、患者の第１の断面画像群に含まれる断面画像を指定するための第１の画像指定インタフェース、及び前記第１の断面画像群の比較対象として指定された前記患者の第２の断面画像群に含まれる断面画像を指定するための第２の画像指定インタフェースを含み、
前記第２の画像指定インタフェース上の位置であって、かつ、前記第２の断面画像群に含まれる、付加情報が登録された断面画像と対応付けられている位置にマークを表示すると共に、
前記第１の画像指定インタフェース上の位置であって、かつ、前記第１の断面画像群と前記第２の断面画像群とで同期する断面画像の位置、及び前記第２の断面画像群において前記付加情報が登録された断面画像の位置に基づいて定まる、前記第１の断面画像群に含まれる、前記第２の断面画像群において前記付加情報が登録された断面画像と対応する断面画像の位置にマークを表示する表示制御部
を含む、読影支援装置。
【請求項８】
コンピュータに、
バー上の位置の指定に応じて該位置に対応づけられた患者の断面画像を表示するバー状の画像指定インタフェースにおいて、
前記画像指定インタフェースは、患者の第１の断面画像群に含まれる断面画像を指定するためのバー状の第１の画像指定インタフェース、及び前記第１の断面画像群の比較対象として指定された前記患者の第２の断面画像群に含まれる断面画像を指定するためのバー状の第２の画像指定インタフェースを含み、
画像指定インタフェースを表示する際に、
前記第２の画像指定インタフェース上の位置であって、かつ、前記第２の断面画像群に含まれる、付加情報が登録された断面画像と対応付けられているバー上の位置にマークを表示すると共に、
前記第１の画像指定インタフェース上の位置であって、かつ、前記第１の断面画像群と前記第２の断面画像群とで同期する断面画像の位置、及び前記第２の断面画像群において前記付加情報が登録された断面画像の位置に基づいて定まる、前記第１の断面画像群に含まれる、前記第２の断面画像群において前記付加情報が登録された断面画像と対応する断面画像の位置にマークを表示する
処理を実行させるための画像選択支援方法。
【発明の詳細な説明】
【技術分野】
【０００１】
開示する技術は、読影支援プログラム、方法、及び装置、並びに画像選択支援方法に関する。
【背景技術】
【０００２】
従来、複数のシリーズ画像のデータの中から、比較対象となるシリーズ画像データの組み合わせを容易に求めて並列に観測できる技術がある。
【先行技術文献】
【特許文献】
【０００３】
【特許文献１】特開２００８−２００１３９号公報
【発明の概要】
【発明が解決しようとする課題】
【０００４】
１つの側面では、開示する技術は、付加情報が登録された画像を容易に特定し読影の作業効率を上げることを目的とする。
【課題を解決するための手段】
【０００５】
一つの態様として、開示の技術は、コンピュータに、画像指定インタフェースの表示において、マークを表示する処理を実行させる。なお、前記マークは、前記画像指定インタフェース上の位置であって、かつ、前記断面画像群に含まれる、付加情報が登録された断面画像と対応付けられている位置にマークを表示する。また、前記画像指定インタフェースは、患者の断面画像群に含まれる断面画像を指定するための画像指定インタフェース上の位置の指定に応じて、前記位置に対応づけられた前記断面画像群に含まれる断面画像を表示する。
【発明の効果】
【０００６】
一つの側面として、付加情報が登録された画像を容易に特定し読影の作業効率を上げることができる、という効果を有する。
【図面の簡単な説明】
【０００７】
【図１】本実施形態に係る読影支援システムの構成を示す概略図である。
【図２】患者ＩＤ入力画面の一例を示す図である。
【図３】検査一覧画面の一例を示す図である。
【図４】画像表示画面の一例を示す図である。
【図５】画像表示画面の一例を示す図である。
【図６】レポート画面の一例を示す図である。
【図７】本実施形態に係る画像表示装置の機能的構成を示す機能ブロック図である。
【図８】検査情報リストの一例を示す図である。
【図９】シリーズ情報リストの一例を示す図である。
【図１０】画像情報リストの一例を示す図である。
【図１１】検査一覧の一例を示す図である。
【図１２】マークシリーズにマークを付す例を示す図である。
【図１３】他のシリーズにマークを付す例を示す図である。
【図１４】本実施形態に係るレポート作成支援装置の機能的構成を示す機能ブロック図である。
【図１５】レポートリストの一例を示す図である。
【図１６】本実施形態に係る画像表示装置として機能するコンピュータの概略構成を示すブロック図である。
【図１７】本実施形態に係るレポート作成支援装置として機能するコンピュータの概略構成を示すブロック図である。
【図１８】マークを付す処理のシーケンス図の一例を示す図である。
【図１９】レポートに情報を記載する処理のシーケンス図の一例を示す図である。
【図２０】本実施形態に係る画像表示装置の画像表示処理の一例を示すフローチャートである。
【図２１】本実施形態に係る画像表示装置のマーク表示処理の一例を示すフローチャートである。
【図２２】本実施形態に係る画像表示装置のマーク表示処理の一例を示すフローチャートである。
【図２３】本実施形態に係るレポート作成支援装置のレポート作成処理の一例を示すフローチャートである。
【図２４】スカウト画像を用いた画像表示画面の一例である。
【図２５】スカウト画像を用いた場合のマークシリーズにマークを表示する例を示す図である。
【図２６】スカウト画像を用いた場合の他のシリーズにマークを表示する例を示す図である。
【図２７】キー画像の対応するシリーズ毎にマークシリーズに付加するマークを変化させる一例を示す図である。
【図２８】キー画像の対応するシリーズ毎にマークシリーズに付加するマークを変化させる一例を示す図である。
【発明を実施するための形態】
【０００８】
以下、開示する技術に係る実施形態について説明する。
【０００９】
まず、本実施形態の概要について説明する。
【００１０】
医師による診断において、読影というものがある。読影では、患者の過去の検査のレポートを参照したり、過去の検査の同一部位シリーズに含まれる画像の各々と、今回の検査の同一部位シリーズに含まれる画像の各々とを比較したりすることで、今回の検査において撮影した画像を診断する。なお、比較対象となる過去の検査を以後、過去検査とし、診断対象となる今回の検査を以後、今回検査とする。また、過去検査に含まれるシリーズを以後、過去シリーズとし、今回検査に含まれるシリーズを以後、今回シリーズとする。また、過去シリーズに含まれる画像を以後、過去画像とし、今回シリーズに含まれる画像を以後、今回画像とする。また、過去画像及び今回画像は、ＭＲやＣＴ等で撮影された検査対象となる患者の断面画像である。
【００１１】
ここで、シリーズとは、１つの検査において少なくとも１つ以上含まれるものであり、１つの検査内における１回のＣＴ等の撮影単位毎に撮影された画像群を表すものである。例えば、対象となる検査が、患者の血管について検査を行うことを対象とする場合、当該検査において、患者の血管を見やすくするために血管に薬品を投入して撮影する場合について考える。この場合、例えば、血管に薬品を投入してからの初期段階、中期段階、及び後期段階の３回、ＣＴ等により患者に対して患者の一定の範囲について、一定の間隔によって撮影を行うため、１つの検査において３つのシリーズを含む。更に、シリーズの各々について、ＣＴ等により患者の断面を撮影した画像の各々が含まれる。
【００１２】
読影による診断を行う際、医師は、過去検査のレポートの検索と、過去検査のシリーズに含まれる画像の検索とを別々に行う必要がある。また、医師は、過去シリーズから、過去検査で異常が認められた部分の画像（以後、キー画像とする。）を探索し、更に当該キー画像に対応する画像を今回シリーズから探索し、各々の画像を比較する。
【００１３】
また、レポートを記載する際には、医師が過去検査の検査情報（例えば、日時、部位、及び検査種別等）をレポートに記載する運用などによって、読影時に参照した検査の情報をレポートに付与する。そのため、読影時には、上述した一連の操作を行わなければならず、手間がかかる。
【００１４】
また、医師は、読影による診断を行う際に、今回画像と過去画像とを同期させる。ここで、同期とは、患者の断面の同一箇所を撮影した今回画像と過去画像とを対応させることをいう。これは、検査及び検査に含まれるシリーズの各々において撮影が開始される基準点が相違するため、特定のシリーズに含まれる画像と他のシリーズに含まれる画像とを対比する際に、対応づけを行う必要があるために行うものである。また、シリーズ毎に患者の断面の撮影間隔が、例えば、５ミリ、又は１０ミリ等と異なることも考えられるため、各シリーズに含まれる画像の各々が他のシリーズに含まれる画像のどれに対応するかということを決定する必要がある。
【００１５】
そこで、本実施形態においては、今回画像と過去画像との同期を利用して、今回検査のレポート作成の操作を一部自動化する。具体的には、過去検査のレポートの情報を利用して、過去シリーズ中のどれがキー画像かを示す情報を医師に提示する。また、過去検査と比較したという情報を今回検査のレポートに自動追記する。さらに、今回シリーズに含まれる今回画像のうち、どの今回画像が過去シリーズのキー画像に対応するかを示す情報を提示する。
【００１６】
以下、図面を参照して、本実施形態について詳細に説明する。
【００１７】
図１は、本実施形態の読影支援システム１の一例である。図１に示すように、読影支援システム１は、読影を行う利用者（例えば、医師）用の利用者端末２と、画像表示装置４と、レポート作成支援装置５とを有する。本実施形態に係る画像表示装置４は、インターネット等のネットワーク３を介して、利用者端末２、及びレポート作成支援装置５と相互に通信可能に接続される。また、本実施形態に係るレポート作成支援装置５は、インターネット等のネットワーク３を介して、利用者端末２、及び画像表示装置４と相互に通信可能に接続される。なお、図１における利用者端末２は、１つの場合について図示したが、利用者端末２の数は図示の例に限定されず、読影支援システム１は任意の数の利用者端末２を有することができる。また、利用者端末２は、例えば、パーソナルコンピュータ等の情報処理装置であり、読影を実行する利用者により利用されるものとする。また、利用者端末２は、後述するレポート画面、及び画像表示画面の双方を同時に表示部（図示省略、以後同様）に表示できるものとする。
【００１８】
また、利用者端末２は、例えば、図２に示すような、表示部に表示された患者IＤ入力画面４９において、利用者により送信ボタン５０が押下された際に、患者ＩＤ入力部５１に入力された情報を画像表示装置４へ送信する。なお、利用者端末２は、患者ＩＤ入力部５１に入力された情報をネットワーク３を介して、画像表示装置４へ送信する。また、患者ＩＤ入力部５１に入力された情報は、対象となる患者の患者ＩＤであり、患者ＩＤ情報として画像表示装置４へ出力される。
【００１９】
また、利用者端末２は、ネットワーク３を介して受け付けた、例えば、図３に示す対象となる患者の検査一覧画面１００を、表示部に表示する。ここで、検査一覧画面１００は、対象となる患者の検査日時、検査名、及びシリーズ名の情報を含む検査表示情報の各々と、決定ボタン１０１とを含む。
【００２０】
また、利用者が、読影に用いるシリーズを、検査一覧画面１００に表示される検査表示情報の「今回シリーズ」、又は「過去シリーズ」の欄のチェックボックスを選択することで、今回シリーズ、及び過去シリーズの各々を選択する。なお、利用者端末２は、検査表示情報の「今回シリーズ」、又は「過去シリーズ」の欄のチェックボックスが選択された状態で、利用者により決定ボタン１０１が押下された際に、ネットワーク３を介して、選択済みの検査表示情報を画像表示装置４へ出力する。
【００２１】
なお、利用者端末２は、「今回シリーズ」の欄のチェックボックスが選択された検査表示情報を今回シリーズの検査表示情報として、「過去シリーズ」の欄のチェックボックスが選択された検査表示情報を過去シリーズの検査表示情報として出力する。
【００２２】
また、今回シリーズ、及び過去シリーズとなる検査表示情報が複数選択される場合は、同一の今回検査内において、複数の今回シリーズが選択され、同一の過去検査内において、複数の過去シリーズが選択されるものとする。そのため、利用者により選択されるシリーズは、１つの過去検査内において少なくとも１つ以上の過去シリーズが選択され、１つの今回検査内において少なくとも１つ以上の今回シリーズが選択される。
【００２３】
また、対象となる過去検査、及び今回検査は各々１つとなる。そのため、本実施形態においては、３つ以上の検査に跨って、検査表示情報が選択されることはないものとする。ここで、検査表示情報は、検査一覧画面１００の「番号」の欄が同一である検査表示情報を同一の検査に含まれる検査表示情報とする。また、選択される今回シリーズの数と、選択される過去シリーズの数とは一致していなくてもよい。
【００２４】
また、利用者端末２は、ネットワーク３を介して受け付けた、例えば、図４に示す画像表示画面５７を、表示部に表示する。図４に示す画像表示画面５７は、今回検査のシリーズに含まれる画像が表示される今回シリーズ表示部５２と、今回シリーズ表示部５２に表示された画像を切り替えるスクロールバー５３とを含む。また、図４に示す画像表示画面は、過去検査のシリーズに含まれる画像が表示される過去シリーズ表示部５４と、過去シリーズ表示部５４に表示された画像を切り替えるスクロールバー５５とを含む。また、スクロールバー５３上には、当該スクロールバー５３上の位置を指定するためのつまみ５８が設けられており、スクロールバー５５上には、当該スクロールバー５５上の位置を指定するためのつまみ５９が設けられている。なお、スクロールバー５３及び５５上のつまみ５８及び５９の位置が、開示の技術の画像指定インタフェースの位置の一例である。
【００２５】
なお、各シリーズに対応するスクロールバー５３及び５５は、対応するシリーズに含まれる画像の各々について、スクロールバー上の対応する位置を予め定めておく。対応する位置は、例えば、当該スクロールバーの長さを、当該シリーズに含まれる画像の総数で割った値と、当該シリーズの当該画像の枚数目の値との積で表される、スクロールバーの基準点からの距離として対応する位置として予め定めておく。利用者が、つまみ５８の位置をスクロールバー５３上で移動させることによって、今回シリーズ表示部５２に表示する画像を、つまみ５８の位置が示すスクロールバー５３上の位置に対応する画像に切り替えることができる。同様に、つまみ５９の位置をスクロールバー５５上で移動させることによって、過去シリーズ表示部５４に表示する画像を切り替えることができる。
【００２６】
また、表示するシリーズが複数ある場合には、各シリーズに対応した今回シリーズ表示部５２及び過去シリーズ表示部５４を含む画像表示画面５７が表示部に表示される。具体的には、表示する今回シリーズ、及び過去シリーズが各々３つずつある場合には、例えば図５に示す画像表示画面５７が表示部に表示される。この場合、画像表示画面５７は、今回シリーズ表示部５２Ａ〜Ｃと、スクロールバー５３Ａ〜Ｃと、つまみ５８Ａ〜Ｃと、過去シリーズ表示部５４Ａ〜Ｃと、スクロールバー５５Ａ〜Ｃと、つまみ５９Ａ〜Ｃと、同期ボタン５６とを含む構成となる。なお、本実施形態においては、図５に示すように、表示する今回シリーズ及び過去シリーズの各々は３つずつであるものとして説明する。
【００２７】
また、図４に示す画像表示画面５７は、今回シリーズ表示部５２又は過去シリーズ表示部５４に表示されている画像の各々を同期させるための、同期ボタン５６を含む。利用者は、同期を行う場合には、事前につまみ５８及びつまみ５９の各々を操作し、各シリーズに対応する今回シリーズ表示部５２及び過去シリーズ表示部５４毎に表示されている画像を、同期対象となる画像の各々に変更した状態で、同期ボタン５６を押下する。
【００２８】
また、利用者端末２は、利用者により、画像表示画面５７の同期ボタン５６が押下された際に、ネットワーク３を介して、同期指示情報を画像表示装置４へ出力する。
【００２９】
また、利用者端末２は、ネットワーク３を介して受け付けた、例えば、図６に示すレポート画面６０を表示する。図６に示すレポート画面６０は、過去検査のレポート名を表示する過去レポート名表示部６１と、過去検査のレポートの内容を表示する過去レポート表示部６２と、過去検査のレポートにおいて参照されているキー画像を表示するキー画像表示部６３とを含む。また、レポート画面６０は、今回検査のレポートを表示させる今回レポート表示部６４と、今回レポートのキー画像を参照するキー画像登録部６５とを含む。ここで、レポートにおいて参照されているキー画像とは、レポート中の文書内において参照されているキー画像と、レポート中の文書内において参照されておらず、レポートに登録されているキー画像とを含む。
【００３０】
ここで、今回レポート表示部６４は、今回検査のレポート作成領域であり、利用者の操作により、今回レポートを追記する領域である。また、キー画像登録部６５は、今回検査におけるキー画像を利用者の操作によって登録する領域である。
【００３１】
次に、本実施形態に係る画像表示装置４について説明する。図７に、本実施形態に係る画像表示装置４の機能ブロック図を示す。図７に示すように、画像表示装置４は、記憶部１０と、表示画像検索部１６と、同期処理部１８と、位置計算部２０と、表示制御部２４とを有する。なお、位置計算部２０及び表示制御部２４が、開示の技術の表示制御部の一例である。
【００３２】
記憶部１０は、画像ファイル記憶部１２と、情報記憶部１４とを有する。
【００３３】
画像ファイル記憶部１２には、検査において撮影された画像の各々が記憶されている。
【００３４】
情報記憶部１４には、検査情報リスト１０２、シリーズ情報リスト１０３、及び画像情報リスト１０４が記憶されている。
【００３５】
検査情報リスト１０２は、例えば、図８に示すようなリストである。検査情報リスト１０２には、患者に対応しているユニークな患者ＩＤと、検査に対応しているユニークなＳｔｕｄｙ  Ｉｎｓｔａｎｃｅ  ＵＩＤ（以後、ＳｔｕｄｙＵＩＤとする。）と、検査名と、検査日時と、検査種別とを含む検査情報の各々が格納されている。
【００３６】
シリーズ情報リスト１０３は、例えば図９に示すようなリストである。シリーズ情報リスト１０３には、シリーズに対応しているユニークなＳｅｒｉｅｓ  Ｉｎｓｔａｎｃｅ  ＵＩＤ（以後、ＳｅｒｉｅｓＵＩＤ）と、当該シリーズを含む検査のＳｔｕｄｙＵＩＤと、シリーズ名とを含むシリーズ情報の各々が格納されている。
【００３７】
画像情報リスト１０４は、例えば、図１０に示すようなリストである。画像情報リスト１０４には、画像に対応しているユニークなＳＯＰ  Ｉｎｓｔａｎｃｅ  ＵＩＤ（以後、ＳＯＰＵＩＤとする。）と、ＳｅｒｉｅｓＵＩＤと、画像位置と、画像パスと、当該画像が何枚目かの情報とを含む画像情報の各々が格納されている。
【００３８】
ここで、画像位置とは、画像が属するシリーズの撮影が開始された基準点からの座標を表す。また、画像パスとは、当該画像が、画像ファイル記憶部１２のどの部分に記憶されているかという格納先のパスを表すものである。また、何枚目かの情報とは、当該画像の属するシリーズにおいて、当該画像が何枚目に撮影されたかを表す情報である。読影を行う対象となる画像は、ＭＲ、ＣＴ等により撮影された画像であるため、同一のシリーズにおいては、同一の基準点から等間隔に、患者の断面を順々に撮影しているものとする。
【００３９】
表示画像検索部１６は、ネットワーク３を介して受け付けた患者ＩＤ情報と、情報記憶部１４に記憶されている検査情報リスト１０２及びシリーズ情報リスト１０３とに基づいて、対象となる患者の検査一覧を作成し、表示制御部２４へ出力する。
【００４０】
具体的には、表示画像検索部１６は、検査情報リスト１０２の「患者ＩＤ」の欄が、取得した患者ＩＤ情報に含まれる患者ＩＤと一致する検査情報の各々を取得する。また、表示画像検索部１６は、取得した検査情報の各々の「Ｓｔｕｄｙ  Ｉｎｓｔａｎｃｅ  ＵＩＤ」の欄の情報と、シリーズ情報リスト１０３の「Ｓｔｕｄｙ  Ｉｎｓｔａｎｃｅ  ＵＩＤ」の欄の情報とが一致するシリーズ情報の各々を取得する。また、表示画像検索部１６は、取得した検査情報の各々に含まれる検査日時、検査名の情報と、シリーズ情報の各々に含まれるシリーズ名の情報とを組み合わせる。また、表示画像検索部１６は、組み合わせた結果の各々に基づいて、図１１に示すような、検査日時、検査名、及びシリーズ名を含む対応する患者の検査表示情報の各々を作成し、検査一覧として表示制御部２４へ出力する。
【００４１】
また、表示画像検索部１６は、ネットワーク３を介して受け付けた検査表示情報の各々と、記憶部１０に記憶されている各種情報とに基づいて、表示対象となる過去及び今回シリーズに含まれる画像の各々を検索し、表示制御部２４に出力する。
【００４２】
具体的には、表示画像検索部１６は、取得した今回シリーズ及び過去シリーズの検査表示情報の各々について、下記の処理を実施する。以下では、１つの検査表示情報についての処理に説明するが、表示画像検索部１６は、全ての検査表示情報について下記同様の処理を実行する。
【００４３】
表示画像検索部１６は、当該検査表示情報に含まれる検査名、及び検査日時と、検査情報リスト１０２に含まれる検査情報のうち、「検査名」の欄、及び「検査日時」の欄の情報とが一致する検査情報を取得する。
【００４４】
また、表示画像検索部１６は、シリーズ情報リスト１０３に含まれるシリーズ情報のうち、取得した検査情報と「Ｓｔｕｄｙ  Ｉｎｓｔａｎｃｅ  ＵＩＤ」の欄の情報が一致するシリーズ情報を取得する。さらに、表示画像検索部１６は、当該検査表示情報に含まれるシリーズ名と、取得したシリーズ情報の「シリーズ名」の欄の情報とが一致するシリーズ情報を取得する。ここで、取得したシリーズ情報が対象となるシリーズのシリーズ情報となる。
【００４５】
また、表示画像検索部１６は、取得したシリーズ情報の「Ｓｅｒｉｅｓ  Ｉｎｓｔａｎｃｅ  ＵＩＤ」の欄の情報と、画像情報リスト１０４に含まれる画像情報のうち「Ｓｅｒｉｅｓ  Ｉｎｓｔａｎｃｅ  ＵＩＤ」の欄の情報とが一致する画像情報の各々を取得する。
【００４６】
そして、表示画像検索部１６は、取得した画像情報の各々の「画像パス」の欄、及び「何枚目」の欄の情報に基づいて、画像ファイル記憶部１２から対象となるシリーズに含まれる画像の各々を取得し、１枚目から順に並べ替えた状態で、表示制御部２４に出力する。なお、表示画像検索部１６は、上記の処理中に取得した表示対象の各シリーズに対応するシリーズ情報の各々、及び各画像に対応する画像情報の各々を各シリーズ、及び各画像に対応づけて、表示制御部２４に出力する。また、表示画像検索部１６は、上記の処理中に取得した過去検査に対応する検査情報を表示制御部２４に出力する。また、表示画像検索部１６は、表示制御部２４に出力するシリーズ毎の画像の各々について、過去シリーズ、及び今回シリーズの区別がつくように、情報を付加しているものとする。なお、当該情報は、処理対象となる検査表示情報に含まれる「今回シリーズ」又は「過去シリーズ」の欄の情報に基づいて判断することができる。
【００４７】
同期処理部１８は、ネットワーク３を介して同期指示情報を受け付けると、同期指示情報を受け付けた時点で、表示対象のシリーズ毎に、今回シリーズ表示部５２又は過去シリーズ表示部５４に表示されている各画像を、同期画像として特定する。同期処理部１８は、メモリ（図示省略、以後同様）から、表示対象のシリーズ毎に、シリーズ情報と、同期画像として特定した画像の画像情報（以後、同期画像情報とする。）とを読み込む。また、同期処理部１８は、メモリから表示対象の過去検査に対応する検査情報を読み込む。なお、取得したシリーズ情報と画像情報とは、後述する表示制御部２４の説明において説明している通り、画像表示画面５７の、どの位置の今回シリーズ表示部５２又は過去シリーズ表示部５４に表示されているものかということが既知であるものとする。
【００４８】
また、同期処理部１８は、表示対象のシリーズ毎に、取得したシリーズ情報から、ＳｅｒｉｅｓＵＩＤを取得し、各同期画像情報からＳＯＰＵＩＤ情報及び「何枚目」の欄の情報を取得する。同期処理部１８は、表示対象のシリーズ毎に、取得した各同期画像情報の「何枚目」の欄の情報から、各同期画像が、当該同期画像が属するシリーズにおいて何枚目の画像かの情報を取得する。また、同期処理部１８は、取得した同期画像情報の各々の「画像位置」の情報の座標値を、対応するシリーズ毎の同期基準位置として決定し、同期画像が属するシリーズにおいて何枚目の画像かの情報と併せて位置計算部２０に出力する。
【００４９】
また、同期処理部１８は、表示対象のシリーズ毎に、取得した同期画像情報と、画像情報リスト１０４とに基づいて、同期画像と同一のシリーズであって、かつ、同期画像の次に撮影された画像についての画像情報（以後、次画像情報とする。）を取得する。例えば、同期処理部１８は、画像情報リスト１０４に含まれる画像情報の「Ｓｅｒｉｅｓ  Ｉｎｓｔａｎｃｅ  ＵＩＤ」の欄の情報が同期画像情報と一致し、「何枚目」の欄の情報が、取得した同期画像の値に１を加えた値の画像情報を次画像情報として取得する。
【００５０】
また、同期処理部１８は、表示対象のシリーズ毎に、取得した同期基準位置及び次画像情報に基づいて、当該シリーズにおける撮影間隔（距離）を取得し、位置計算部２０に出力する。具体的には、同期処理部１８は、次画像情報の「画像位置」の欄の座標値と、同期基準位置の座標値との距離を計算し、当該距離を当該シリーズにおける撮影間隔として取得する。また、同期処理部１８は、同期中であることを表す同期情報を表示制御部２４へ出力する。
【００５１】
また、同期処理部１８は、取得した過去検査の検査情報に含まれるＳｔｕｄｙＵＩＤと、検査日時、及び検査種別の情報を、ネットワーク３を介してレポート作成支援装置５へ送信する。
【００５２】
位置計算部２０は、ネットワーク３を介して受け付けた過去検査のキー画像のＳＯＰＵＩＤの各々に基づいて、利用者端末２の表示部に表示されている画像表示画面５７のスクロールバー５３、及び５５上の、マークを表示する位置を計算する。
【００５３】
具体的には、位置計算部２０は、取得したＳＯＰＵＩＤ情報各々について、下記の処理を行う。以下、受け付けたＳＯＰＵＩＤのうち、１つのＳＯＰＵＩＤについての処理について説明するが、取得した全てのＳＯＰＵＩＤについて下記同様の処理を行うものとする。
【００５４】
位置計算部２０は、ネットワーク３を介して受け付けた過去検査のキー画像のＳＯＰＵＩＤを受け付けると、メモリから、表示対象のシリーズ毎に、シリーズ情報を取得する。また、位置計算部２０は、画像情報リスト１０４に含まれる画像情報のうち、「ＳＯＰ  Ｉｎｓｔａｎｃｅ  ＵＩＤ」の欄の情報が、取得した当該ＳＯＰＵＩＤと一致する画像情報を取得する。また、位置計算部２０は、取得した画像情報、及び取得したシリーズ情報に含まれるシリーズ情報の「Ｓｅｒｉｅｓ  Ｉｎｓｔａｎｃｅ  ＵＩＤ」の欄の情報が一致する場合には、当該画像情報をマーク画像情報とする。
【００５５】
ここで、「Ｓｅｒｉｅｓ  Ｉｎｓｔａｎｃｅ  ＵＩＤ」の欄の情報が一致したシリーズ情報に対応するシリーズが、当該ＳＯＰＵＩＤに対応するキー画像を含むシリーズであり、当該シリーズをマークシリーズとする。また、表示対象のシリーズのうち、マークシリーズ以外のシリーズを他のシリーズとする。
【００５６】
また、位置計算部２０は、取得したマーク画像情報の「何枚目」の欄の情報から、当該キー画像が、マークシリーズの何枚目にあたるかの情報を取得し、表示制御部２４に出力する。
【００５７】
また、位置計算部２０は、取得した他のシリーズの各々について、マークシリーズにおけるキー画像に対応する位置の画像が当該他のシリーズの何枚目の画像か決定し、表示制御部２４に出力する。
【００５８】
具体的には、位置計算部２０は、同期処理部１８から取得した表示対象のシリーズ毎の同期基準位置、同期画像が何枚目の画像かの情報、及び撮影間隔と、取得した当該キー画像がマークシリーズの何枚目にあたるかの情報とに基づいて決定する。
【００５９】
ここで、位置計算部２０は、マーク画像情報の「画像位置」の座標値と、取得したマークシリーズの同期基準位置の座標値とに基づいて、キー画像の同期基準位置からの距離を計算する。また、位置計算部２０は、他のシリーズの各々について、取得した同期画像が何枚目の画像かの情報、及び撮影間隔と、計算したキー画像の同期基準位置からの距離とに基づいて、当該他のシリーズにおいてキー画像に対応する画像が同期画像から何枚目か決定する。
【００６０】
例えば、キー画像の同期基準位置からの距離が１０ｍｍであり、かつ、他のシリーズの撮影間隔が２ｍｍである場合には、（１０／２＝５）となる。そのため、当該他のシリーズのキー画像に対応する画像は、当該他のシリーズの同期画像から５枚後にあると決定できる。一方、他のシリーズの撮影間隔が５ｍｍである場合には、（１０／５＝２）となり、当該他のシリーズのキー画像に対応する画像は、当該他のシリーズの同期画像から２枚後にあると決定できる。
【００６１】
また、位置計算部２０は、表示制御部２４から位置計算指示情報が入力されると、表示対象のシリーズ毎に表示する画像が何枚目かを決定し、表示制御部２４に出力する。具体的には、位置計算部２０は、取得した位置計算指示情報、及び表示対象のシリーズ毎の同期基準位置、同期画像が属するシリーズにおいて何枚目の画像かの情報、及び撮影間隔に基づいて、表示対象のシリーズ毎に表示する画像が何枚目かを決定する。
【００６２】
ここで、位置計算指示情報には、つまみ５８又は５９を、スクロールバー５３又５５上で移動した今回シリーズ表示部５２又は過去シリーズ表示部５４に表示されている画像の画像情報の「画像位置」の情報が含まれるものとする。なお、具体的に決定する方法は、上述の位置計算部２０の処理におけるキー画像を、つまみ５８又は５９を、スクロールバー５３又５５上で移動した今回シリーズ表示部５２又は過去シリーズ表示部５４に表示されている画像とする。また、他のシリーズを、つまみ５８又は５９をスクロールバー５３又５５上で移動した今回シリーズ表示部５２又は過去シリーズ表示部５４以外の今回シリーズ表示部５２又は過去シリーズ表示部５４に対応するシリーズの各々とする。また、他のシリーズは、上述と同様の処理を行うことにより決定することができる。
【００６３】
表示制御部２４は、表示画像検索部１６から入力された検査一覧を、例えば、図３に示す検査一覧画面１００として、ネットワーク３を介して、利用者端末２に出力する。
【００６４】
また、表示制御部２４は、表示画像検索部１６から入力された表示対象となる過去及び今回シリーズに含まれる画像の各々に基づいて、例えば、図５に示す画像表示画面５７を作成し、ネットワーク３を介して、利用者端末２に出力する。この場合、画像表示画面５７の各シリーズに対応した今回シリーズ表示部５２又は過去シリーズ表示部５４に表示される画像は、例えば、当該シリーズにおける１枚目の画像とすることができる。
【００６５】
なお、表示制御部２４は、画像表示画面５７の対応する今回シリーズ表示部５２又は過去シリーズ表示部５４の各々と、表示画像検索部１６から入力された、シリーズ情報及び画像情報の各々とを対応づけてメモリに記憶しておく。また、表示画像検索部１６から入力された、シリーズ情報及び画像情報の各々は、当該今回シリーズ表示部５２又は過去シリーズ表示部５４に表示されているシリーズに対応するものである。
【００６６】
また、表示制御部２４は、現在、今回シリーズ表示部５２又は過去シリーズ表示部５４に表示されている画像の画像情報を画像表示画面５７の対応する今回シリーズ表示部５２又は過去シリーズ表示部５４の位置の各々と対応付けてメモリに記憶しておく。
【００６７】
また、表示制御部２４は、表示画像検索部１６から入力された過去検査の検査情報をメモリに記憶しておく。また、表示制御部２４は、今回シリーズ表示部５２又は過去シリーズ表示部５４の各々に現在表示されているシリーズ毎の画像が変更される度に、メモリに当該画像の画像情報と位置との対応づけが記憶されるため、現在表示されている画像を特定することができる。
【００６８】
また、表示制御部２４は、位置計算部２０から取得した、キー画像がマークシリーズの何枚目にあたるかの情報に基づいて、マークシリーズのスクロールバー５５のキー画像に対応する位置にマークを表示するように画像表示画面５７を作成する。また、表示制御部２４は、作成した画像表示画面５７を、ネットワーク３を介して利用者端末２に送信し、利用者端末２の表示部に表示させる。例えば、図５において、マークシリーズに属する画像が過去シリーズ表示部５４Ａに表示されている場合、表示制御部２４は、図１２に示すように、スクロールバー５５Ａのキー画像に対応する位置にマーク６００を表示する。なお、上述したように、各シリーズにおいて、何枚目がスクロールバーのどの位置に対応するかということは、予め定められている。
【００６９】
また、表示制御部２４は、位置計算部２０から取得した他のシリーズ毎の、キー画像に対応する画像が何枚目かの情報に基づいて、他のシリーズのスクロールバー５３又は５５上の対応する位置にマーク６００を表示するように画像表示画面５７を作成する。また、表示制御部２４は、作成した画像表示画面５７を、ネットワーク３を介して利用者端末２に送信し、利用者端末２の表示部に表示させる。
【００７０】
例えば、図１２のようにマークシリーズにおいて、キー画像に対応するスクロールバー５５上の位置にマークが付されている場合について考える。この場合、図１３のように、他のシリーズの各々について当該キー画像に対応する画像に対応するスクロールバー５３又は５５上の位置にマークが表示される。
【００７１】
また、表示制御部２４は、ネットワーク３を介して、利用者端末２からスクロールバー５３又は５５上のつまみを操作した情報を受け付けると、画像表示画面５７を作成する。ここで、作成される画像表示画面５７は、操作されたスクロールバー５３又は５５に対応する今回シリーズ表示部５２又は過去シリーズ表示部５４に表示されているシリーズの画像を変更するように作成される。
【００７２】
具体的には、表示制御部２４は、操作されたスクロールバー５３又は５５に対応する今回シリーズ表示部５２又は過去シリーズ表示部５４に表示されているシリーズの画像を特定する。そして、表示制御部２４は、特定した画像を、当該シリーズにおける、スクロールバー５３又は５５上のつまみの位置に対応した当該シリーズ内の画像に変更するように、画像表示画面５７を作成する。また、表示制御部２４は、作成した画像表示画面５７を、ネットワーク３を介して利用者端末２に送信し、利用者端末２の表示部に表示させる。
【００７３】
また、表示制御部２４は、同期処理部１８から同期情報を取得している場合に、ネットワーク３を介して、利用者端末２からスクロールバー５３又は５５上のつまみ５８又は５９を操作して情報を受け付けると、位置計算指示情報を位置計算部２０に出力する。また、表示制御部２４は、受け付けた、スクロールバー５３又は５５上のつまみ５８又は５９を操作した情報に基づいて、今回シリーズ表示部５２又は過去シリーズ表示部５４に表示されているシリーズの画像を、変更するように画像表示画面５７を作成する。ここで、対象となる今回シリーズ表示部５２又は過去シリーズ表示部５４は、操作されたスクロールバー５３又は５５に対応するものであり、変更される画像は、スクロールバー５３又は５５上の、操作後のつまみ５８又は５９の位置に対応した画像である。
【００７４】
更に、表示制御部２４は、位置計算部２０から入力された、つまみ５８又は５９を移動していないシリーズの表示されている画像が何枚目かの情報に基づいて、当該シリーズの画像を対応した画像に変更するように画像表示画面５７を作成する。ここで、変更される画像は、つまみ５８又は５９を移動していないシリーズの今回シリーズ表示部５２又は過去シリーズ表示部５４に表示されている画像である。
【００７５】
そして、表示制御部２４は、作成した画像表示画面５７を、ネットワーク３を介して利用者端末２に送信し、利用者端末２の表示部に表示させる。なお、表示制御部２４は、つまみ５８又は５９を移動していないシリーズの画像を表示する場合について、当該シリーズに対応するスクロールバー５３又は５５上のつまみ５８又は５９の位置も移動させるように、画像表示画面５７を作成するものとする。
【００７６】
次に、本実施形態に係るレポート作成支援装置５について説明する。図１４に、本実施形態に係るレポート作成支援装置５の機能ブロック図を示す。図１４に示すように、レポート作成支援装置５は、レポート情報記憶部３２と、レポート検索部３６と、表示制御部３８とを有する。
【００７７】
レポート情報記憶部３２には、例えば、図１５に示すレポートリスト１０５が記憶されている。なお、レポートは１検査につき１つ作成されているものとする。
【００７８】
ここで、レポートリスト１０５の「Ｓｔｕｄｙ  Ｉｎｓｔａｎｃｅ  ＵＩＤ」の欄は、対応するレポートのＳｔｕｄｙＵＩＤを表す。また、「ＳＯＰ  Ｉｎｓｔａｎｃｅ  ＵＩＤ」の欄は、対応するレポートに参照されているキー画像のＳＯＰＵＩＤを表す。また、レポートリスト１０５の「画像」の欄は、キー画像のサムネイル画像の情報である。なお、同一のレポート名に紐づく、ＳｔｕｄｙＵＩＤ、ＳＯＰＵＩＤ、及び内容の組み合わせを併せて１つのレポート情報とする。また、図１５に示す「画像」の欄のキー画像のサムネイル画像は「＊」で表現し、具体的な画像の表示は省略する。なお、レポートリスト１０５の「ＳＯＰ  Ｉｎｓｔａｎｃｅ  ＵＩＤ」の欄の情報が、開示の技術の付加情報の一例である。
【００７９】
レポート検索部３６は、ネットワーク３を介して、画像表示装置４から取得した過去検査のＳｔｕｄｙＵＩＤと、レポートリスト１０５に基づいて、過去検査のレポート情報を取得し、表示制御部３８へ出力する。具体的には、レポート検索部３６は、レポートリスト１０５に含まれるレポート情報のうち、「Ｓｔｕｄｙ  Ｉｎｓｔａｎｃｅ  ＵＩＤ」の欄の情報が、取得したＳｔｕｄｙＵＩＤと一致するレポート情報を過去検査のレポート情報として取得する。
【００８０】
表示制御部３８は、ネットワーク３を介して、画像表示装置４から取得した過去検査の検査日時、及び検査種別と、取得した過去検査のレポート情報に基づいて、レポート画面６０を作成する。また、表示制御部３８は、作成したレポート画面６０を、ネットワーク３を介して利用者端末２に送信し、利用者端末２の表示部に表示させる。
【００８１】
具体的には、表示制御部３８は、例えば、図６に示すレポート画面６０の過去レポート名表示部６１に、取得したレポート情報の「レポート名」の欄の情報を表示する。また、表示制御部３８は、レポート画面６０の過去レポート表示部６２に、取得したレポート情報の「内容」の欄の情報を表示する。また、表示制御部３８は、レポート画面６０のキー画像表示部６３に、取得したレポート情報の「画像」の欄の各々の画像を表示する。また、表示制御部３８は、取得した過去検査の検査日時、及び検査種別に基づいて、今回レポート表示部６４に、「「検査日時」の「検査種別」と比較した。」との１文を表示する。
【００８２】
画像表示装置４は、例えば図１６に示すコンピュータ２００で実現することができる。コンピュータ２００はＣＰＵ２０２、一時記憶領域としてのメモリ２０４、及び不揮発性の記憶装置２０６を備える。また、コンピュータ２００は、入出力装置２０８が接続される入出力インターフェース（Ｉ／Ｆ）２１０を備える。また、コンピュータ２００は、記録媒体２１２に対するデータの読み込み及び書き込みを制御するｒｅａｄ／ｗｒｉｔｅ（Ｒ／Ｗ）部２１４、及びインターネット等のネットワーク３に接続されるネットワークＩ／Ｆ２１６を備える。ＣＰＵ２０２、メモリ２０４、記憶装置２０６、入出力Ｉ／Ｆ２１０、Ｒ／Ｗ部２１４、及びネットワークＩ／Ｆ２１６は、バス２１８を介して互いに接続される。
【００８３】
記憶装置２０６はＨＤＤ（Hard Disk Drive）、ＳＳＤ（solid state drive）、フラッシュメモリ等によって実現できる。記憶媒体としての記憶装置２０６には、コンピュータ２００を画像表示装置４として機能させるための画像表示プログラム３１０、及びマーク表示プログラム３２０が記憶される。また、記憶装置２０６は、画像ファイルの各々が記憶される画像ファイル記憶領域３５０と、各種リストが記憶される情報記憶領域３５２とを有する。
【００８４】
ＣＰＵ２０２は、画像表示プログラム３１０、及びマーク表示プログラム３２０を記憶装置２０６から読みだしてメモリ２０４に展開する。また、ＣＰＵ２０２は、画像表示プログラム３１０、及びマーク表示プログラム３２０が有するプロセスを順次実行する。
【００８５】
また、ＣＰＵ２０２は、画像ファイル記憶領域３５０に記憶された画像ファイルの各々を読み出し、メモリ２０４に展開する。また、ＣＰＵ２０２は、情報記憶領域３５２に記憶された検査情報を読み出し、検査情報リスト１０２としてメモリ２０４に展開する。また、ＣＰＵ２０２は、情報記憶領域３５２に記憶されたシリーズ情報を読み出し、シリーズ情報リスト１０３としてメモリ２０４に展開する。また、ＣＰＵ２０２は、情報記憶領域３５２に記憶された画像情報を読み出し、画像情報リスト１０４としてメモリ２０４に展開する。
【００８６】
画像表示プログラム３１０は、表示画像検索プロセス３１２と、表示制御プロセス３１４を有する。
【００８７】
ＣＰＵ２０２は、表示画像検索プロセス３１２を実行することで、図７に示す表示画像検索部１６として動作する。また、ＣＰＵ２０２は、表示制御プロセス３１４を実行することで、図７に示す表示制御部２４として動作する。
【００８８】
マーク表示プログラム３２０は、同期プロセス３２２、位置計算プロセス３２４、及び表示制御プロセス３２６を有する。
【００８９】
ＣＰＵ２０２は、同期プロセス３２２を実行することで、図７に示す同期処理部１８として動作する。また、ＣＰＵ２０２は、位置計算プロセス３２４を実行することで、図７に示す位置計算部２０として動作する。また、ＣＰＵ２０２は、表示制御プロセス３２６を実行することで、図７に示す表示制御部２４として動作する。
【００９０】
これにより、画像表示プログラム３１０、及びマーク表示プログラム３２０を実行したコンピュータ２００が、画像表示装置４として機能することになる。
【００９１】
なお、画像表示装置４は、例えば半導体集積回路、より詳しくはＡＳＩＣ（Application Specific Integrated Circuit）等で実現することも可能である。
【００９２】
また、レポート作成支援装置５は、例えば図１７に示すコンピュータ４００で実現することができる。コンピュータ４００は、コンピュータ２００と同様、バス４１８を介して互いに接続された、ＣＰＵ４０２、メモリ４０４、記憶装置４０６、入出力Ｉ／Ｆ４１０、Ｒ／Ｗ部４１４、及びネットワークＩ／Ｆ４１６を含む。
【００９３】
記憶装置４０６はＨＤＤ（Hard Disk Drive）、ＳＳＤ（solid state drive）、フラッシュメモリ等によって実現できる。記憶媒体としての記憶装置４０６には、コンピュータ４００をレポート作成支援装置５として機能させるためのレポート作成プログラム４２０が記憶される。また、記憶装置４０６は、レポート情報の各々が記憶されるレポート情報記憶領域４５０を有する。
【００９４】
ＣＰＵ４０２は、レポート作成プログラム４２０を記憶装置４０６から読みだしてメモリ４０４に展開する。また、ＣＰＵ４０２は、レポート作成プログラム４２０が有するプロセスを順次実行する。
【００９５】
また、ＣＰＵ４０２は、レポート情報記憶領域４５０に記憶されたレポート情報の各々を読み出し、レポートリスト１０５としてメモリ４０４に展開する。
【００９６】
レポート作成プログラム４２０は、レポート検索プロセス４２２と、表示制御プロセス４２４とを有する。
【００９７】
ＣＰＵ４０２は、レポート検索プロセス４２２を実行することで、図１４に示すレポート検索部３６として動作する。また、ＣＰＵ４０２は、表示制御プロセス４２４を実行することで、図１４に示す表示制御部３８として動作する。
【００９８】
これにより、レポート作成プログラム４２０を実行したコンピュータ４００が、レポート作成支援装置５として機能することになる。
【００９９】
なお、レポート作成支援装置５は、例えば半導体集積回路、より詳しくはＡＳＩＣ（Application Specific Integrated Circuit）等で実現することも可能である。
【０１００】
次に、図１８及び図１９のシーケンス図を用いて、本実施形態に係る読影支援システム１全体の処理の流れを説明する。まず、図１８のシーケンス図に従って、キー画像に対応するスクロールバー５３又は５５上の位置にマークを表示する際の全体の処理の流れを簡単に説明する。図１８において、まず、利用者端末２から、画像表示装置４へ同期指示情報を送信する。また、画像表示装置４が、同期指示情報を受信すると、画像表示装置は、過去検査情報を、レポート作成支援装置５へ送信する。そして、レポート作成支援装置５は、過去検査情報に基づいて、過去検査のレポートを検索し、表示する。また、レポート作成支援装置５は、検索した過去レポートに登録されているキー画像の各々のＳＯＰＵＩＤを画像表示装置４へ送信する。そして、画像表示装置４は、キー画像に対応するＳＯＰＵＩＤを受信すると、受信したキー画像に対応するＳＯＰＵＩＤの各々に基づいて、マークシリーズ及び他のシリーズのスクロールバー上の対応する位置にマークを表示する。
【０１０１】
次に、図１９のシーケンス図に従って、今回レポートに過去検査の情報を記載する際の全体の処理の流れを簡単に説明する。図１９において、まず、利用者端末２から、画像表示装置４へ同期指示情報を送信する。また、画像表示装置４が、同期指示情報を受信すると、画像表示装置は、過去検査情報を、レポート作成支援装置５へ送信する。そして、レポート作成支援装置５は、過去検査情報に基づいて、今回検査のレポートに過去検査の情報を記載する。
【０１０２】
次に、画像表示装置４及びレポート作成支援装置５各々の装置での各処理の説明をする。
【０１０３】
まず、本実施形態に係る画像表示装置４の作用について説明する。利用者端末２から送信された患者ＩＤ情報を画像表示装置４が受け付けると、画像表示装置４において、図２０に示す画像表示処理が実行される。次に、利用者端末２から送信された同期指示情報を画像表示装置４が受け付けると、画像表示装置４において、図２１、及び図２２に示すマーク表示処理が実行される。なお、画像表示装置４により実行されるマーク表示処理は、開示する技術の読影支援方法の一例である。また、画像表示装置４により実行されるマーク表示処理は、開示する技術の画像選択支援方法の一例である。以下、画像表示処理、及びマーク表示処理について詳述する。
【０１０４】
まず、画像表示処理について説明する。図２０は、画像表示処理の一例を示すフローチャートである。図２０に示す画像表示処理のフローチャートにおいて、まず、ステップＳ１で、表示画像検索部１６は、受け付けた患者ＩＤ情報と、検査情報リスト１０２と、シリーズ情報リスト１０３とに基づいて、対象となる患者の検査一覧を作成する。
【０１０５】
次に、ステップＳ２で、表示制御部２４は、ステップＳ１において作成した、検査一覧に基づいて、検査一覧画面１００を作成し、ネットワーク３を介して、利用者端末２の表示部に表示させる。
【０１０６】
次に、ステップＳ３で、表示画像検索部１６は、ネットワーク３を介して、利用者端末２から検査表示情報の各々を受信したか否かを判定する。表示画像検索部１６が、検査表示情報の各々を受信したと判定した場合には、画像表示処理は、ステップＳ４へ移行する。一方、表示画像検索部１６が、検査表示情報の各々を受信していないと判定した場合には、画像表示処理は、ステップＳ３を繰り返す。
【０１０７】
次に、ステップＳ４で、表示画像検索部１６は、ステップＳ３において受信した検査表示情報の各々と、検査情報リスト１０２、シリーズ情報リスト１０３、及び画像情報リスト１０６とに基づいて、過去及び今回シリーズ毎の画像の各々の画像パスを取得する。また、表示画像検索部１６は、取得した過去及び今回シリーズ毎の画像の各々の格納先に基づいて、過去及び今回シリーズ毎の各画像を取得する。
【０１０８】
次に、ステップＳ５で、表示制御部２４は、ステップＳ４において取得した、過去及び今回シリーズ毎の画像の各々に基づいて、例えば、図５に示す画像表示画面５７を作成し、ネットワーク３を介して、利用者端末２に表示させる。また、表示制御部２４は、ステップＳ５で、画像表示画面５７の今回シリーズ表示部５２又は過去シリーズ表示部５４に対応する位置の各々と、当該位置に表示されているシリーズ情報及び画像情報の各々とを対応づけてメモリに記憶する。また、表示制御部２４は、ステップＳ５で、現在今回シリーズ表示部５２又は過去シリーズ表示部５４に表示されている画像の画像情報を画像表示画面５７の対応する今回シリーズ表示部５２又は過去シリーズ表示部５４の位置の各々と対応付けてメモリに記憶する。また、表示制御部２４は、ステップＳ５で、ステップＳ３において取得した過去検査の検査情報をメモリに記憶する。その後、画像表示処理を終了する。
【０１０９】
なお、表示制御部２４は、現在表示されているシリーズ毎の画像が変更される度に、メモリに当該画像の画像情報と今回シリーズ表示部５２又は過去シリーズ表示部５４の各々の位置との対応づけを記憶する処理を行う。
【０１１０】
次に、マーク表示処理について説明する。図２１、及び図２２は、マーク表示処理の一例を示すフローチャートである。図２１に示すマーク表示処理のフローチャートにおいて、まず、ステップＳ１００で、同期処理部１８は、利用者端末２に表示されている、今回シリーズ表示部５２又は過去シリーズ表示部５４に表示されているシリーズの各々の画像を同期させる。また、ステップＳ１００で、同期処理部１８は、メモリから読み込んだ同期画像情報、及びシリーズ情報の各々に基づいて、同期画像の各々について、対応するシリーズ毎の同期基準位置と、同期画像が、シリーズにおいて何枚目の画像かの情報とを取得する。また、ステップＳ１００で、同期処理部１８は、表示対象のシリーズ毎に、取得した同期基準位置と、画像情報リスト１０４とに基づいて、当該シリーズにおける撮影間隔を取得する。
【０１１１】
次に、ステップＳ１０１で、同期処理部１８は、メモリから過去検査の検査情報を読み込み、当該検査情報に含まれるＳｔｕｄｙＵＩＤと、検査日時、及び検査種別の情報を、ネットワーク３を介してレポート作成支援装置５へ送信する。
【０１１２】
次に、ステップＳ１０２で、位置計算部２０は、レポート作成支援装置５から、ネットワーク３を介して過去検査のキー画像の各々のＳＯＰＵＩＤを受け付けたか否かを判定する。位置計算部２０が、過去検査のキー画像の各々のＳＯＰＵＩＤを受け付けたと判定した場合には、マーク表示処理は、ステップＳ１０４へ移行する。一方、位置計算部２０が、過去検査のキー画像の各々のＳＯＰＵＩＤを受け付けていないと判定した場合には、マーク表示処理は、ステップＳ１０２を繰り返す。
【０１１３】
次に、ステップＳ１０４で、位置計算部２０は、ステップＳ１０２において取得した過去検査のキー画像の各々のＳＯＰＵＩＤのうち、処理対象となるキー画像のＳＯＰＵＩＤを決定する。
【０１１４】
次に、ステップＳ１０６で、位置計算部２０は、メモリに記憶されている表示対象となるシリーズのシリーズ情報の各々を読み込む。
【０１１５】
次に、ステップＳ１０８で、位置計算部２０は、ステップＳ１０４において取得した処理対象となるＳＯＰＵＩＤと、画像情報リスト１０４とに基づいて、処理対象となる画像情報を取得する。
【０１１６】
次に、ステップＳ１１０で、位置計算部２０は、ステップＳ１０６において取得したシリーズ情報の各々と、ステップＳ１０８において取得した処理対象となる画像情報とに基づいて、処理対象となる画像情報に対応するシリーズが表示対象か否か判定する。位置計算部２０が、処理対象となる画像情報に対応するシリーズが表示対象であると判定した場合には、処理対象となる画像情報をマーク画像情報として取得すると共に、表示対象のシリーズをマークシリーズとし、マーク表示処理は、ステップＳ１１２へ移行する。一方、位置計算部２０が、処理対象となる画像情報に対応するシリーズが表示対象でないと判定した場合には、マーク表示処理は、図２２のステップＳ１２２へ移行する。
【０１１７】
次に、ステップＳ１１２で、位置計算部２０は、ステップＳ１０８において取得したマーク画像情報に基づいて、処理対象となるＳＯＰＵＩＤが示すキー画像のマークシリーズ内の画像位置を取得する。
【０１１８】
次に、ステップＳ１１３で、表示制御部２４は、利用者端末２の表示部に表示されている画像表示画面５７のスクロールバー５５上であって、かつ、ステップＳ１１２において取得した位置にマークを表示させるように画像表示画面５７を作成する。
【０１１９】
次に、ステップＳ１１４で、位置計算部２０は、ステップＳ１０６において取得したシリーズ情報に基づいて、処理対象となる他のシリーズを決定する。
【０１２０】
次に、ステップＳ１１６で、位置計算部２０は、ステップＳ１００で取得したシリーズ毎の同期基準位置、同期画像の位置情報、及び撮影間隔と、取得したキー画像の位置情報とに基づいて、当該他のシリーズにおいてマークを表示する位置を決定する。なお、キー画像の位置情報は、ステップＳ１１２において取得しているものを用いる。また、ステップＳ１１６終了後、マーク表示処理は、図２２のステップＳ１１８へ移行する。
【０１２１】
次に、図２２のステップＳ１１８で、表示制御部２４は、ステップＳ１１６において取得した他のシリーズにおいてマークを表示するスクロールバー５３又は５５上の位置にマークを表示するように画像表示画面５７を作成する。また、ステップＳ１１８で、表示制御部２４は、作成した画像表示画面５７を、ネットワーク３を介して利用者端末２に表示させる。
【０１２２】
次に、ステップＳ１２０で、位置計算部２０は、全ての他のシリーズについてステップＳ１１４からステップＳ１１８までの処理を終了したか否かを判定する。位置計算部２０が、全ての他のシリーズについてステップＳ１１４からステップＳ１１８までの処理を終了したと判定した場合には、マーク表示処理は、ステップＳ１２２へ移行する。一方、位置計算部２０が、全ての他のシリーズについてステップＳ１１４からステップＳ１１８までの処理を終了していないと判定した場合には、マーク表示処理は、図２１のステップＳ１１４へ移行し、処理対象となる他のシリーズを変更する。
【０１２３】
次に、ステップＳ１２２で、位置計算部２０は、ステップＳ１０２において受け付けた全てのキー画像のＳＯＰＵＩＤについて、図２１のステップＳ１０４から図２２のステップＳ１２０までの処理を終了したか否かを判定する。位置計算部２０が、全てのキー画像のＳＯＰＵＩＤについて、図２１のステップＳ１０４から図２２のステップＳ１２０までの処理を終了したと判定した場合には、マーク表示処理は、終了する。一方、位置計算部２０が、全てのキー画像のＳＯＰＵＩＤについて、図２１のステップＳ１０４から図２２のステップＳ１２０までの処理を終了していないと判定した場合には、マーク表示処理は、図２１のステップＳ１０４へ移行する。
【０１２４】
次に、本実施形態に係るレポート作成支援装置５の作用について説明する。まず、画像表示装置４から送信された過去検査の情報をレポート作成支援装置５が受け付けると、レポート作成支援装置５において、図２３に示すレポート作成処理が実行される。なお、レポート作成支援装置５により実行されるレポート作成処理は、開示する技術の読影支援方法の一例である。以下、レポート作成処理について詳述する。
【０１２５】
図２３は、レポート作成処理の一例を示すフローチャートである。図２３に示すレポート作成処理のフローチャートにおいて、まず、ステップＳ１５０で、レポート検索部３６が、画像表示装置４から取得した過去検査のＳｔｕｄｙＵＩＤと、レポートリスト１０５に基づいて、過去検査のレポート情報を取得する。
【０１２６】
次に、ステップＳ１５２で、レポート検索部３６は、ステップＳ１５０において取得した過去検査のレポート情報に含まれるキー画像のＳＯＰＵＩＤの各々を、ネットワーク３を介して画像表示装置４へ送信する。
【０１２７】
次に、ステップＳ１５４で、表示制御部３８は、画像表示装置４から取得した過去検査の検査日時、及び検査種別と、ステップＳ１５０において取得した過去検査のレポート情報に基づいて、レポート画面６０を作成する。
【０１２８】
次に、ステップＳ１５６で、表示制御部３８は、ステップＳ１５４において作成したレポート画面６０を、ネットワーク３を介して利用者端末２に送信し、利用者端末２の表示部に表示させる。
【０１２９】
以上説明したように、本実施形態によれば、スクロールバー上の位置であって、かつ、表示する断面画像群に含まれるキー画像として登録されている断面画像と対応付けられている位置にマークを表示する。そのため、付加情報が登録された画像を容易に特定し読影の作業効率を上げることができる。
【０１３０】
また、レポートのキー画像と対応付けられている位置にマークを表示することにより、レポートを参照することなく、キー画像を特定することができる。
【０１３１】
また、比較対象をレポートに自動的に追記することから、レポート作成の操作を一部自動化することができ、利用者による手動による誤記の可能性を減少させることができる。また、比較対象のシリーズ中の重要な画像の位置を利用者に提示することにより、読影の作業効率を上げることができる。
【０１３２】
また、比較対象である過去検査に対応する作成済みレポートを自動的に表示させることから、比較対象となる過去検査のレポートを検索する必要がなく、比較対象の検査の所見を参照することができる。
【０１３３】
また、今回検査のシリーズと過去検査のシリーズとを同期させた際に、過去検査のレポートに記憶されているキー画像の各々の情報を用いて、該当のキー画像が、該当のキー画像を含むシリーズのどの位置にあるかを利用者へ自動的に表示することができる。これにより、利用者は、今回検査のシリーズと同期した過去検査のシリーズの中から病変など注視する必要がある箇所を容易に検索することができ、過去検査と今回検査との注視するべき箇所を即座に比較することができる。
【０１３４】
また、今回検査のシリーズと過去検査のシリーズとを同期させた際に、今回検査のシリーズの、過去検査のレポートに記憶されているキー画像に対応する位置を利用者へ自動的に表示することができる。これにより、利用者は、今回検査のシリーズにおいて注視する必要がある箇所を容易に検索することができる。
【０１３５】
また、本実施形態においては、画像表示画面５７において同一のシリーズにおいて画像を変更させるために用いる表示の画像指定インタフェースをスクロールバーにする場合について説明したが、これに限定されるものではない。例えば、画像を変更させるために用いる表示の画像指定インタフェースに、図２４に表示しているスカウト画像を用いてもよい。この場合、参照線５００が、対応する領域において表示されている画像の位置であり、更に、図２５、及び図２６に示すように、シリーズ内のキー画像に対応する当該スカウト画像の位置にマーク８００が表示されるものとする。なお、図２５は、過去シリーズに対応するスカウト画像にのみマーク８００を表示した例、図２６は、今回シリーズに対応するスカウト画像にも、マーク８００を表示した例である。
【０１３６】
また、本実施形態においては、スクロールバーに付されるマークを同一のマークを用いる場合について説明したが、これに限定されるものではない。例えば、キー画像の属するシリーズ毎にマークを変更してもよい。マークを変更した場合には、例えば、図１２、図１３、図２７、及び図２８のように画面が表示されるものとする。この場合、キー画像表示部６３には、過去検査においてキー画像として登録されたキー画像の各々が、属するシリーズ毎に色分けされて表示されているものとする。また、過去検査において色分けされて登録されているキー画像に基づいて、マークを表示させる場合には、当該マーク自体も対応するキー画像の色に対応させて表示する。図２７に示す例においては、過去シリーズ表示部５４Ａのシリーズに対応するキー画像に対応するマークが６００であることを表し、過去シリーズ表示部５４Ｂのシリーズに対応するキー画像に対応するマークが９００であることを表している。また、図２８においては、マーク６００とマーク９００とが、全ての今回シリーズ表示部５２及び過去シリーズ表示部５４に表示された例を示す。このように、マークを、対応するシリーズ毎に判別可能に表示させることにより、注視すべきシリーズを容易に特定することができる。
【０１３７】
また、本実施形態においては、今回レポート表示部６４に、「「検査日時」の「検査種別」と比較した。」との１文を表示する場合について説明したが、これに限定されるものではない。例えば、比較対象と比較した旨の記載であれば任意の文でもよい。また、今回検査を、同一の過去検査と同期をさせた場合、既に今回レポート表示部６４に比較した旨の記載が表示されている場合には、当該処理を行わなくてもよい。
【０１３８】
また、本実施形態においては、同期を行った場合、同期基準位置を決定し、撮影間隔に基づいて、基準点位置からの距離を計算することにより、表示対象のシリーズ毎に、同期をとる場合について説明したが、これに限定されるものではない。例えば、同期基準位置を決定し、更にシリーズ毎の撮影間隔に基づいて、表示対象のシリーズの各々に含まれる画像の各々の対応関係を決定することで、同期を行ってもよい。この場合、スクロールバー上のつまみを移動させる毎に同期基準位置からの計算を毎回行わなくてもよい。
【０１３９】
また、本実施形態においては、レポートにキー画像が登録されている場合について説明したが、これに限定されるものではない。例えば、キー画像のＳＯＰＵＩＤが特定できれば、レポートにキー画像そのものが登録されていなくてもよい。
【０１４０】
また、本実施形態においては、同期指示情報の受信をトリガとしてマークを表示する場合について説明したが、これに限定されるものではない。例えば、過去シリーズのみを表示する場合、当該過去シリーズを過去シリーズ表示部５４に表示することをトリガとして、当該過去シリーズのスクロールバー５５上のキー画像に対応する位置にマークを表示してもよい。
【０１４１】
具体的には、表示画像検索部１６は、ネットワーク３を介して受け付けた検査表示情報の各々と、記憶部１０に記憶されている各種情報とに基づいて、上述の処理と同様に表示対象となる過去シリーズに含まれる画像の各々を検索し、表示制御部２４に出力する。
【０１４２】
また、位置計算部２０は、ネットワーク３を介して受け付けた過去検査のキー画像のＳＯＰＵＩＤの各々に基づいて、利用者端末２の表示部に表示されている画像表示画面５７のスクロールバー５５上の、マークを表示する位置を計算する。ここで、位置計算部２０は、上述の処理と同様に、受け付けたＳＯＰＵＩＤの各々に基づいて取得したマーク画像情報の「何枚目」の欄の情報の各々から、当該キー画像の各々が、マークシリーズの何枚目にあたるかの情報を各々取得し、表示制御部２４に出力する。
【０１４３】
また、表示制御部２４は、表示画像検索部１６から入力された表示対象となる過去シリーズに含まれる画像の各々に基づいて、上述の処理と同様に、画像表示画面を作成し、ネットワーク３を介して、利用者端末２に出力する。なお、当該画像表示画面には、今回シリーズに関する情報は表示されない。また、表示制御部２４は、表示画像検索部１６から入力された過去検査の検査情報をレポート作成支援装置へ出力する。
【０１４４】
また、表示制御部２４は、取得した、キー画像がマークシリーズの何枚目にあたるかの情報に基づいて、上述の処理と同様に、マークシリーズのスクロールバー５５上のキー画像に対応する位置にマークを表示するように画像表示画面５７を作成する。また、表示制御部２４は、作成した画像表示画面５７を、ネットワーク３を介して利用者端末２に送信し、利用者端末２の表示部に表示させる。なお、取得したキー画像がマークシリーズの何枚目にあたるかの情報は、位置計算部２０から取得するものとする。
【０１４５】
また、本実施形態においては、画像表示装置の機能と、レポート作成支援装置の機能とを別々のコンピュータで実現する場合について説明したが、これに限定されるものではない。例えば、画像表示装置の機能と、レポート作成支援装置の機能とを１つのコンピュータで実現してもよい。この場合、本実施形態の画像表示装置、及びレポート作成支援装置の機能も含む画像表示装置は、開示の技術の読影支援装置の一例である。
【０１４６】
また、本実施形態においては、データの保持形式をリスト形式で保持する場合について説明したが、これに限定されるものではない。例えば、他のデータの保持形式を用いてもよい。
【０１４７】
また、上記では、開示する技術に係る各プログラムが記憶装置２０６又は４０６に予め記憶（インストール）されている態様を説明したが、これに限定されない。開示の技術に係る各プログラムは、ＣＤ−ＲＯＭ、ＤＶＤ−ＲＯＭ、ＵＳＢメモリ等の記録媒体に記録された形態で提供することも可能である。
【０１４８】
以上の実施形態に関し、更に以下の付記を開示する。
【０１４９】
（付記１）
コンピュータに、
患者の断面画像群に含まれる断面画像を指定するための画像指定インタフェース上の位置の指定に応じて、前記位置に対応づけられた前記断面画像群に含まれる断面画像を表示する前記画像指定インタフェースの表示において、
前記画像指定インタフェース上の位置であって、かつ、前記断面画像群に含まれる、付加情報が登録された断面画像と対応付けられている位置にマークを表示する
処理を実行させるための読影支援プログラム。
（付記２）
前記付加情報は前記患者の検査に関するレポート情報により参照されていることを表す情報であって、
前記画像指定インタフェースは、患者の第１の断面画像群に含まれる断面画像を指定するための第１の画像指定インタフェース、及び前記第１の断面画像群の比較対象として指定された前記患者の第２の断面画像群に含まれる断面画像を指定するための第２の画像指定インタフェースを含み、
前記マークを表示することでは、
前記第２の断面画像群に含まれる断面画像を指定するための前記第２の画像指定インタフェースの表示において、
前記第２の画像指定インタフェース上の位置であって、かつ、前記第２の断面画像群に含まれる、前記患者の前記第２の断面画像群に対応する検査に関するレポート情報において参照されている断面画像と対応付けられている位置にマークを表示する付記１記載の読影支援プログラム。
（付記３）
前記第１の断面画像群に含まれる断面画像の位置と前記第２の断面画像群に含まれる断面画像の位置とを対応づけることにより、前記第１の断面画像群と前記第２の断面画像群とを同期させることを更に含み、
前記マークを表示することでは、前記第１の断面画像群と同期している前記第２の断面画像群に含まれる断面画像を指定するための前記第２の画像指定インタフェースの表示において、
前記第２の画像指定インタフェース上の位置であって、かつ、前記第２の断面画像群に含まれる、前記患者の前記第２の断面画像群に対応する検査に関するレポート情報において参照されている断面画像と対応付けられている位置にマークを表示する付記２記載の読影支援プログラム。
（付記４）
前記マークを表示することでは、
更に、前記第１の画像指定インタフェース上の位置であって、かつ、前記第２の断面画像群に含まれる、前記患者の前記第２の断面画像群に対応する検査に関するレポート情報において参照されている断面画像に対応する、前記第１の断面画像群に含まれる断面画像と対応付けられている位置にマークを表示する付記２又は３記載の読影支援プログラム。
（付記５）
更に、前記第１の断面画像群と前記第２の断面画像群とを同期させた場合に、前記患者の前記第１の断面画像群に対応する検査に関するレポート情報に、前記第２の断面画像群に対応する検査の情報を加える付記３又は４記載の読影支援プログラム。
（付記６）
更に、前記第１の断面画像群と前記第２の断面画像群とを同期させた場合に、前記患者の前記第２の断面画像群に対応する検査に関するレポート情報を表示する付記３〜５の何れか１項記載の読影支援プログラム。
（付記７）
コンピュータに、
患者の断面画像群に含まれる断面画像を指定するための画像指定インタフェース上の位置の指定に応じて、前記位置に対応づけられた前記断面画像群に含まれる断面画像を表示する前記画像指定インタフェースの表示において、
前記画像指定インタフェース上の位置であって、かつ、前記断面画像群に含まれる、付加情報が登録された断面画像と対応付けられている位置にマークを表示する
処理を実行させるための読影支援方法。
（付記８）
前記付加情報は前記患者の検査に関するレポート情報により参照されていることを表す情報であって、
前記画像指定インタフェースは、患者の第１の断面画像群に含まれる断面画像を指定するための第１の画像指定インタフェース、及び前記第１の断面画像群の比較対象として指定された前記患者の第２の断面画像群に含まれる断面画像を指定するための第２の画像指定インタフェースを含み、
前記マークを表示することでは、
前記第２の断面画像群に含まれる断面画像を指定するための前記第２の画像指定インタフェースの表示において、
前記第２の画像指定インタフェース上の位置であって、かつ、前記第２の断面画像群に含まれる、前記患者の前記第２の断面画像群に対応する検査に関するレポート情報において参照されている断面画像と対応付けられている位置にマークを表示する付記７記載の読影支援方法。
（付記９）
前記第１の断面画像群に含まれる断面画像の位置と前記第２の断面画像群に含まれる断面画像の位置とを対応づけることにより、前記第１の断面画像群と前記第２の断面画像群とを同期させることを更に含み、
前記マークを表示することでは、前記第１の断面画像群と同期している前記第２の断面画像群に含まれる断面画像を指定するための前記第２の画像指定インタフェースの表示において、
前記第２の画像指定インタフェース上の位置であって、かつ、前記第２の断面画像群に含まれる、前記患者の前記第２の断面画像群に対応する検査に関するレポート情報において参照されている断面画像と対応付けられている位置にマークを表示する付記８記載の読影支援方法。
（付記１０）
前記マークを表示することでは、
更に、前記第１の画像指定インタフェース上の位置であって、かつ、前記第２の断面画像群に含まれる、前記患者の前記第２の断面画像群に対応する検査に関するレポート情報において参照されている断面画像に対応する、前記第１の断面画像群に含まれる断面画像と対応付けられている位置にマークを表示する付記８又は９記載の読影支援方法。
（付記１１）
更に、前記第１の断面画像群と前記第２の断面画像群とを同期させた場合に、前記患者の前記第１の断面画像群に対応する検査に関するレポート情報に、前記第２の断面画像群に対応する検査の情報を加える付記９又は１０記載の読影支援方法。
（付記１２）
更に、前記第１の断面画像群と前記第２の断面画像群とを同期させた場合に、前記患者の前記第２の断面画像群に対応する検査に関するレポート情報を表示する付記９〜１１の何れか１項記載の読影支援方法。
（付記１３）
患者の断面画像群に含まれる断面画像を指定するための画像指定インタフェース上の位置の指定に応じて、前記位置に対応づけられた前記断面画像群に含まれる断面画像を表示する前記画像指定インタフェースの表示において、
前記画像指定インタフェース上の位置であって、かつ、前記断面画像群に含まれる、付加情報が登録された断面画像と対応付けられている位置にマークを表示する表示制御部
を含む、読影支援装置。
（付記１４）
前記付加情報は前記患者の検査に関するレポート情報により参照されていることを表す情報であって、
前記画像指定インタフェースは、患者の第１の断面画像群に含まれる断面画像を指定するための第１の画像指定インタフェース、及び前記第１の断面画像群の比較対象として指定された前記患者の第２の断面画像群に含まれる断面画像を指定するための第２の画像指定インタフェースを含み、
前記表示制御部は、
前記第２の断面画像群に含まれる断面画像を指定するための前記第２の画像指定インタフェースの表示において、
前記第２の画像指定インタフェース上の位置であって、かつ、前記第２の断面画像群に含まれる、前記患者の前記第２の断面画像群に対応する検査に関するレポート情報において参照されている断面画像と対応付けられている位置にマークを表示する付記１３記載の読影支援装置。
（付記１５）
前記第１の断面画像群に含まれる断面画像の位置と前記第２の断面画像群に含まれる断面画像の位置とを対応づけることにより、前記第１の断面画像群と前記第２の断面画像群とを同期させることを更に含み、
前記表示制御部は、前記マークを表示することでは、前記第１の断面画像群と同期している前記第２の断面画像群に含まれる断面画像を指定するための前記第２の画像指定インタフェースの表示において、
前記第２の画像指定インタフェース上の位置であって、かつ、前記第２の断面画像群に含まれる、前記患者の前記第２の断面画像群に対応する検査に関するレポート情報において参照されている断面画像と対応付けられている位置にマークを表示する付記１４記載の読影支援装置。
（付記１６）
前記表示制御部は、
更に、前記第１の画像指定インタフェース上の位置であって、かつ、前記第２の断面画像群に含まれる、前記患者の前記第２の断面画像群に対応する検査に関するレポート情報において参照されている断面画像に対応する、前記第１の断面画像群に含まれる断面画像と対応付けられている位置にマークを表示する付記１４又は１５記載の読影支援装置。
（付記１７）
更に、前記表示制御部は、前記第１の断面画像群と前記第２の断面画像群とを同期させた場合に、前記患者の前記第１の断面画像群に対応する検査に関するレポート情報に、前記第２の断面画像群に対応する検査の情報を加える付記１５又は１６記載の読影支援装置。
（付記１８）
更に、前記表示制御部は、前記第１の断面画像群と前記第２の断面画像群とを同期させた場合に、前記患者の前記第２の断面画像群に対応する検査に関するレポート情報を表示する付記１５〜１７の何れか１項記載の読影支援装置。
（付記１９）
患者の断面画像群に含まれる断面画像を指定するための画像指定インタフェース上の位置の指定に応じて、前記位置に対応づけられた前記断面画像群に含まれる断面画像を表示する前記画像指定インタフェースの表示において、
前記画像指定インタフェース上の位置であって、かつ、前記断面画像群に含まれる、付加情報が登録された断面画像と対応付けられている位置にマークを表示する表示制御部
を含む、読影支援装置と、
同期処理を実行する利用者端末と、
を含む、読影支援システム。
（付記２０）
コンピュータに、
患者の断面画像群に含まれる断面画像を指定するための画像指定インタフェース上の位置の指定に応じて、前記位置に対応づけられた前記断面画像群に含まれる断面画像を表示する前記画像指定インタフェースの表示において、
前記画像指定インタフェース上の位置であって、かつ、前記断面画像群に含まれる、付加情報が登録された断面画像と対応付けられている位置にマークを表示する
処理を実行させるための読影支援プログラムを記憶した記録媒体。
（付記２１）
バー上の位置の指定に応じて該位置に対応づけられた患者の断面画像を表示するバー状の画像指定インタフェースを表示する際に、患者の複数の断面画像のうち付加情報が登録された断面画像に対応するバー上の位置に対応づけてマークを表示する、
ことを特徴とする画像選択支援方法。
（付記２２）
患者の第１の断面画像群の表示に対応する第１のバー上の位置の指定に応じて前記第１の断面画像群のうちの該位置に対応づけられた断面画像を表示するバー状の第１の画像指定インタフェースを表示する際に、参照対象として指定された前記患者の第２の断面画像群のうち、付加情報が付加された断面画像に対応するバー上の位置に対応づけたマークが表示された第２のバー状の画面指定インタフェースを合わせて表示する制御を行う、
ことを特徴とする画像選択支援方法。
（付記２３）
コンピュータに、
バー上の位置の指定に応じて該位置に対応づけられた患者の断面画像を表示するバー状の画像指定インタフェースを表示する際に、患者の複数の断面画像のうち付加情報が登録された断面画像に対応するバー上の位置に対応づけてマークを表示する、
処理を実行させるための画像選択支援プログラム。
（付記２４）
コンピュータに、
患者の第１の断面画像群の表示に対応する第１のバー上の位置の指定に応じて前記第１の断面画像群のうちの該位置に対応づけられた断面画像を表示するバー状の第１の画像指定インタフェースを表示する際に、参照対象として指定された前記患者の第２の断面画像群のうち、付加情報が付加された断面画像に対応するバー上の位置に対応づけたマークが表示された第２のバー状の画面指定インタフェースを合わせて表示する制御を行う、
処理を実行させるための画像選択支援プログラム。
（付記２５）
バー上の位置の指定に応じて該位置に対応づけられた患者の断面画像を表示するバー状の画像指定インタフェースを表示する際に、患者の複数の断面画像のうち付加情報が登録された断面画像に対応するバー上の位置に対応づけてマークを表示する表示制御部、
を含む、画像選択支援装置。
（付記２６）
患者の第１の断面画像群の表示に対応する第１のバー上の位置の指定に応じて前記第１の断面画像群のうちの該位置に対応づけられた断面画像を表示するバー状の第１の画像指定インタフェースを表示する際に、参照対象として指定された前記患者の第２の断面画像群のうち、付加情報が付加された断面画像に対応するバー上の位置に対応づけたマークが表示された第２のバー状の画面指定インタフェースを合わせて表示する制御を行う制御部、
を含む、画像選択支援装置。
【符号の説明】
【０１５０】
１     読影支援システム
２     利用者端末
３     ネットワーク
４     画像表示装置
５     レポート作成支援装置
１０   記憶部
１２   画像ファイル記憶部
１４   情報記憶部
１６   表示画像検索部
１８   同期処理部
２０   位置計算部
２４   表示制御部
３２   レポート情報記憶部
３６   レポート検索部
３８   表示制御部
２００、４００       コンピュータ
２０２、４０２       ＣＰＵ
２０４、４０４       メモリ
２０６、４０６       記憶装置
２０８ 入出力装置
２１２ 記録媒体
３１０ 画像表示プログラム
３１２ 表示画像検索プロセス
３１４ 表示制御プロセス
３２０ マーク表示プログラム
３２２ 同期プロセス
３２４ 位置計算プロセス
３２６ 表示制御プロセス
３５０ 画像ファイル記憶領域
３５２ 情報記憶領域
４１０ レポート作成プログラム
４１２ レポート検索プロセス
４１４ 表示制御プロセス
４５０ レポート情報記憶領域
【図１】
0006668667.tif 000002
【図２】
0006668667.tif 000003
【図３】
0006668667.tif 000004
【図４】
0006668667.tif 000005
【図５】
0006668667.tif 000006
【図６】
0006668667.tif 000007
【図７】
0006668667.tif 000008
【図８】
0006668667.tif 000009
【図９】
0006668667.tif 000010
【図１０】
0006668667.tif 000011
【図１１】
0006668667.tif 000012
【図１２】
0006668667.tif 000013
【図１３】
0006668667.tif 000014
【図１４】
0006668667.tif 000015
【図１５】
0006668667.tif 000016
【図１６】
0006668667.tif 000017
【図１７】
0006668667.tif 000018
【図１８】
0006668667.tif 000019
【図１９】
0006668667.tif 000020
【図２０】
0006668667.tif 000021
【図２１】
0006668667.tif 000022
【図２２】
0006668667.tif 000023
【図２３】
0006668667.tif 000024
【図２４】
0006668667.tif 000025
【図２５】
0006668667.tif 000026
【図２６】
0006668667.tif 000027
【図２７】
0006668667.tif 000028
【図２８】
0006668667.tif 000029